(57)【特許請求の範囲】
【請求項１】
パレットの滑り止めテープ溶着面と滑り止めテープの裏面とに、熱風噴射機からの熱風を吹き付けて、パレットの滑り止めテープ溶着面と滑り止めテープの裏面とを溶融するとともに、滑り止めテープを、押圧ローラによりパレットに押し付けることにより、パレットに滑り止めテープを溶着するようにした合成樹脂製パレットへの滑り止めテープ溶着装置であって、上記熱風噴射機には、先端にノズル口を有する１個のノズルが配設されているとともに、上記ノズルの胴部には、前記ノズルの軸線に対して、略直角方向に、且つ、下方に向けて、上記パレットの滑り止めテープ溶着面を予備的に加熱するための熱風を噴射する吹き出し口が穿設されていることを特徴とする合成樹脂製パレットへの滑り止めテープ溶着装置。
【発明の詳細な説明】
【０００１】
【発明の属する技術分野】
本発明は、合成樹脂製パレット（以下、単に、「パレット」ともいう。）の表面に、載置された物品の滑りを防止する滑り止めテープを溶着するための合成樹脂製パレットへの滑り止めテープ溶着装置に関するものである。
【０００２】
【従来の技術】
従来、パレットの表面の滑り止めテープ溶着面と滑り止めテープの裏面とに熱風を吹き付けて、パレットの表面の滑り止めテープ溶着面と滑り止めテープの裏面とを溶融するとともに、滑り止めテープを、押圧ローラによりパレットの表面に押し付けることにより、パレットの表面に滑り止めテープを溶着するようにした合成樹脂製パレットへの滑り止めテープ溶着装置が知られている（例えば、特公昭６１−４３１８０号公報、特公昭６３−２５９３７号公報、特開昭５６−２１１８号公報、特開平７−５２２６０号公報等）。
【０００３】
【発明が解決しようとする課題】
以下に、上述した従来の合成樹脂製パレットへの滑り止めテープ溶着装置の要部正面図である図２及び図３を用いて、本発明が解決しようとする課題について説明する。
【０００４】
１は、図示されていない適当なフレームに回転自在に配設された押圧ローラであり、２は、押圧ローラ１付近に配設された、一例としての樋状のガイド部材である。３は、パレットＰの滑り止めテープ溶着面と滑り止めテープＴの裏面ｔ１とに熱風を吹き付けて、パレットＰの滑り止めテープ溶着面と滑り止めテープＴの裏面ｔ１とを溶融する熱風噴射機である。熱風が、パレットＰの搬送方向と同じ方向で、且つ、パレットＰの滑り止めテープ溶着面と押圧ローラ１とによる滑り止めテープＴの挟持部Ｃ方向に噴出するように、熱風噴射機３のノズル３ａは、ノズル口３ａ’が、ガイド部材２付近に位置するとともに、水平面に対して下方に傾斜して取り付けられている。
【０００５】
図２及び図３には、パレットＰに形成された凹溝ｐ１内に、滑り止めテープＴの上部が、パレットＰの表面から、若干突出するように溶着される例が示されており、従って、パレットＰの滑り止めテープ溶着面は、凹溝ｐ１の底部ｐ２となる。４は、ベルトコンベヤー等のパレットＰを搬送するためのパレット搬送装置である。なお、図２及び図３には、パレットＰが左から右方向に搬送される例が示されている。
【０００６】
滑り止めテープＴは、ガイド部材２に案内されながら、パレット搬送装置４により搬送されているパレットＰの滑り止めテープ溶着面（上述したように、この例においては、凹溝ｐ１の底部ｐ２）と押圧ローラ１とによる滑り止めテープＴの挟持部Ｃ方向に搬送される。そして、ガイド部材２から出た滑り止めテープＴの裏面ｔ１とパレットＰの滑り止めテープ溶着面とに、熱風噴射機３により熱風を吹き付けて、パレットＰの滑り止めテープ溶着面と滑り止めテープＴの裏面ｔ１とを溶融するとともに、滑り止めテープＴを、押圧ローラ１によりパレットＰに押し付けることにより、パレット搬送装置４により搬送されているパレットＰに滑り止めテープＴを溶着する。
【０００７】
ところで、図３に示されているように、滑り止めテープＴのパレットＰの滑り止めテープ溶着面への溶着開始時においては、熱風がパレットＰに当たらず、下方に吹き抜けてしまい、パレットＰの滑り止めテープ溶着面の最初の部分が十分に溶融されず、従って、パレットＰの滑り止めテープ溶着面に溶着された滑り止めテープＴの最初の部分が、パレットＰから剥離しやすいという問題があった。このような問題を解決するために、パレットＰの滑り止めテープ溶着面を予備加熱するための熱風噴射機を、上述した熱風噴射機３とは別個に設けたものも知られているが、狭い場所に、２つもの熱風噴射機を配設するために、滑り止めテープ溶着装置の構造が複雑化するとともに、滑り止めテープ溶着装置のコストが上昇するという問題があった。
【０００８】
本発明の目的は、上述した従来の合成樹脂製パレットへの滑り止めテープ溶着装置が有する課題を解決するとともに、作業効率の向上した合成樹脂製パレットへの滑り止めテープ溶着装置を提供することにある。
【０００９】
【課題を解決するための手段】
本発明は、上述した目的を達成するために、パレットの滑り止めテープ溶着面と滑り止めテープの裏面とに、熱風噴射機からの熱風を吹き付けて、パレットの滑り止めテープ溶着面と滑り止めテープの裏面とを溶融するとともに、滑り止めテープを、押圧ローラによりパレットに押し付けることにより、パレットに滑り止めテープを溶着するようにした合成樹脂製パレットへの滑り止めテープ溶着装置であって、上記熱風噴射機には、先端にノズル口を有する１個のノズルを配設するとともに、上記ノズルの胴部に、前記ノズルの軸線に対して、略直角方向に、且つ、下方に向けて、上記パレットの滑り止めテープ溶着面を予備的に加熱するための熱風を噴射する吹き出し口を穿設したものである。
【００１０】
【実施例】
以下に、本発明の実施例について説明するが、本発明の趣旨を越えない限り何ら、本実施例に限定されるものではない。なお、上述した従来の合成樹脂製パレットへの滑り止めテープ溶着装置と同じ部材については、同一の符号が使用されている。
【００１１】
本実施例においては、押圧ローラ１は、上下動可能な垂直フレーム５の下端から水平方向に延びる水平枠５ａに取着された水平軸５ｂに枢着されている。また、熱風噴射機３も、垂直フレーム５から水平方向に延びる水平枠５ｃに取着されている。ガイド部材２は、押圧ローラ１に沿って湾曲した中央部２ａと、中央部２ａの縁部から、中央部２ａに対して略直角方向に延設された側壁２ｂとにより樋状に形成されており、側壁２ｂの端部が、ボルト・ナット等の適当な固着手段により、水平枠５ａに取着されている。なお、６は、滑り止めテープＴを切断するために切断部材であり、固定刃６ａとシリンダー６ｂのピストンロッド６ｃに取着された可動刃６ｄにより構成されている。
【００１２】
熱風噴射機３のノズル３ａには、その胴部３ａ”に、下方に向けて熱風を噴射する吹き出し口３ｂが穿設されている。滑り止めテープＴのパレットＰの滑り止めテープ溶着面への溶着開始時においては、パレット搬送装置４により、図１において右方向に搬送されてくるパレットＰの滑り止めテープ溶着面は、熱風噴射機３のノズル３ａの胴部３ａ”に穿設された吹き出し口３ｂから噴出される熱風により予備的に加熱され、その後、ノズル３ａの先端に形成されたノズル口３ａ’から噴射される熱風により加熱されて溶融されることになる。その後も、吹き出し口３ｂからの熱風の噴出は、続行され、常に、パレットＰの滑り止めテープ溶着面は、吹き出し口３ｂからの熱風により、予備加熱が行われる。
【００１３】
本実施例においては、熱風噴射機３のノズル３ａの胴部３ａ”に、ノズル３ａの軸線に対して、略直角方向に、下方に向けて吹き出し口３ｂが穿設されており、パレット搬送装置４により搬送されているパレットＰの搬送方向と、逆方向に、吹き出し口３ｂから熱風が噴射されるように構成されているが、吹き出し口３ｂから噴射される熱風の向きは、この実施例に限定されるものではない。
【００１４】
上述したように、パレットＰの滑り止めテープ溶着面は、熱風噴射機３のノズル３ａの胴部３ａ”に穿設された吹き出し口３ｂから噴出される熱風により予備加熱されるので、パレットＰの滑り止めテープ溶着面が、ノズル３ａのノズル口３ａ’から噴射される熱風により、確実に、溶融され、滑り止めテープＴのパレットＰの滑り止めテープ溶着面からの剥離を防止することができる。特に、滑り止めテープＴのパレットＰの滑り止めテープ溶着面への溶着開始時においても、パレットＰの滑り止めテープ溶着面の最初の部分が、熱風噴射機３のノズル３ａの胴部３ａ”に穿設された吹き出し口３ｂから噴出される熱風により予備加熱されているので、パレットＰの滑り止めテープ溶着面の最初の部分も、ノズル３ａのノズル口３ａ’から噴射される熱風により、確実に、溶融されることになり、従って、パレットＰの滑り止めテープ溶着面に溶着された滑り止めテープＴの最初の部分が、パレットＰから剥離するというようなトラブルを確実に防止することができる。
【００１５】
また、本発明においては、単に、熱風噴射機３のノズル３ａの胴部３ａ”に吹き出し口３ｂを穿設するだけであり、従来の合成樹脂製パレットへの滑り止めテープ溶着装置のように、２つの熱風噴射機を配設したり、或いは、熱風噴射機の熱風噴射向きを変更したりするようなことなく、簡単な構成により、確実に、パレットＰの滑り止めテープ溶着面を溶融することができる。
【００１６】
【発明の効果】
本発明は、以上説明した構成を有しているので、以下に記載する効果を奏するものである。
【００１７】
熱風噴射機のノズルの胴部に吹き出し口を穿設しただけの簡単な構成により、確実に、パレットの滑り止めテープ溶着面を溶融することができる。
【００１８】
特に、パレットの滑り止めテープ溶着面の最初の部分が、熱風噴射機のノズルの胴部に穿設された吹き出し口から噴出される熱風により予備加熱されているので、パレットの滑り止めテープ溶着面の最初の部分も、ノズルのノズル口から噴射される熱風により、確実に、溶融されることになり、従って、パレットの滑り止めテープ溶着面に溶着された滑り止めテープの最初の部分が、パレットから剥離するというようなトラブルを確実に防止することができる。
【図面の簡単な説明】
【図１】図１は本発明の合成樹脂製パレットへの滑り止めテープ溶着装置の一部切欠部を含む要部正面図である。
【図２】図２は従来の合成樹脂製パレットへの滑り止めテープ溶着装置の要部正面図である。
【図３】図３は同じく従来の合成樹脂製パレットへの滑り止めテープ溶着装置の要部正面図である。
【符号の説明】
Ｐ・・・・・・・・パレット
Ｔ・・・・・・・・滑り止めテープ
１・・・・・・・・押圧ローラ
２・・・・・・・・ガイド部材２０
３・・・・・・・・熱風噴射機
３ａ・・・・・・・ノズル
３ｂ・・・・・・・吹き出し口
【図１】
0003765515.tif 000002
【図２】
0003765515.tif 000003
【図３】
0003765515.tif 000004